(57)【要約】【課題】ユーザの意志を正確に反映して情報の再生状況を正確に更新し、かつその情報毎のお気に入り度合を容易に把握する。【解決手段】ＣＰＵ１−１は、ユーザによる対象ファイルの再生開始指示、一時停止指示、停止指示に従って、楽音再生部１−７による再生動作を制御するとともに、無線通信部１−２での着信割込みチェック、電源１−１１の残量のチェックなどを行う。ＣＰＵ１−１は、ユーザにより任意に選択された音楽データの再生途中において再生停止した際には、その再生停止がユーザ操作により行われたのか、あるいは、無線通信部１−２での着信や、電源１−１１の残量が所定値以下となるなどの理由によって停止されたのかに応じて、その情報の再生状況（再生回数、累積再生時間）の更新を制御する。【選択図】図１
2007180770.tif 000002
【特許請求の範囲】
【請求項１】
情報の再生機能を有する情報再生装置であって、
再生対象となる複数の情報を記憶する情報記憶手段と、
前記複数の情報に対する再生状況情報を記憶する再生状況情報記憶手段と、
前記情報記憶手段に記憶されている複数の情報のいずれかを再生出力する再生手段と、
前記再生手段による情報の再生途中における再生停止を検出する再生停止検出手段と、
前記再生停止検出手段によって再生停止が検出されると、前記再生手段による情報の再生を停止する再生停止手段と、
前記再生停止検出手段によって再生停止が検出された場合、該再生停止がユーザ操作による指示であるか否かを判別する指示判別手段と、
前記指示判別手段による判別結果に基づいて、前記再生状況記憶手段に記憶されている再生状況情報の更新を制御する更新制御手段と
を具備することを特徴とする情報再生装置。
【請求項２】
前記更新制御手段は、前記指示判別手段により、前記再生停止がユーザ操作による指示ではないと判別された場合には、前記再生状況情報の更新を実行する一方、前記再生停止がユーザ操作による指示であると判別された場合には、前記再生状況情報の更新を中止することを特徴とする請求項１記載の情報再生装置。
【請求項３】
前記指示判別手段によって前記再生停止がユーザ操作による指示であると判別された場合、その情報の再生割合を判別する再生割合判別手段を具備し、
前記更新制御手段は、前記再生割合判別手段により判別された再生割合が所定値を超えていれば、前記再生状況情報の更新を実行する一方、再生割合が所定値を超えていなければ、前記再生状況情報の更新を中止することを特徴とする請求項２記載の情報再生装置。
【請求項４】
電話あるいはメールによる着信を検出する着信検出手段を具備し、
前記指示判別手段は、前記着信検出手段によって着信が検出された際に、前記再生停止検出手段によって再生停止が検出された場合、該再生停止がユーザ操作による指示でないと判別することを特徴とする請求項１記載の情報再生装置。
【請求項５】
前記再生停止手段は、前記着信手段による着信があった場合、着信による呼出し直後に前記再生手段による情報の再生出力を停止するか、あるいは着信による呼出し後のユーザによるオフフック操作があった際に前記再生手段による情報の再生出力を停止することを特徴とする請求項１記載の情報再生装置。
【請求項６】
当該装置の各部を駆動する電池の残量を検出する電池残量検出手段を具備し、
前記指示判別手段は、前記電池残量検出手段によって電池残量が所定値以下であると検出された際に、前記再生停止検出手段によって再生停止が検出された場合、該再生停止がユーザ操作による指示でないと判別することを特徴とする請求項１記載の情報再生装置。
【請求項７】
前記再生状況情報記憶手段は、前記複数の情報に対する再生状況情報として、前記複数の情報の各々の再生回数を記憶し、
前記更新制御手段は、前記情報の再生終了時に正規終了として前記再生回数を所定値だけカウントアップすることを特徴とする請求項１記載の情報再生装置。
【請求項８】
前記更新制御手段は、前記再生停止がユーザ操作による指示ではないと判別された場合には、前記正規終了時におけるカウントアップ値よりも小さな値だけカウントアップすることを特徴とする請求項７記載の情報再生装置。
【請求項９】
前記再生状況情報記憶手段は、前記複数の情報に対する再生状況情報として、前記複数の情報の各々の再生回数を記憶し、
前記更新制御手段は、前記情報の再生開始時に前記再生回数をカウントアップし、前記再生停止がユーザ操作による指示であると判別された場合には、前記再生回数をカウントダウンすることを特徴とする請求項１記載の情報再生装置。
【請求項１０】
前記再生状況情報記憶手段は、前記複数の情報に対する再生状況情報として、これまでに再生した累積再生時間を記憶し、
前記更新制御手段は、前記情報の再生終了時に正規終了として現時点までに再生した再生時間を前記累積再生時間に加算することを特徴とする請求項１記載の情報再生装置。
【請求項１１】
記憶されている複数の情報のうち選択された情報を再生する情報再生方法であって、
情報の再生途中における再生停止を検出するステップと、
再生停止が検出されると、情報の再生を停止するステップと、
前記再生停止が検出された場合、該再生停止がユーザ操作による指示であるか否かを判別するステップと、
前記判別結果に基づいて、前記情報に対する再生状況情報の更新を制御するステップと
を含むことを特徴とする情報再生制御方法。
【請求項１２】
コンピュータに、
記憶されている複数の情報のうち選択された情報を再生する再生機能、
情報の再生途中における再生停止を検出する再生停止検出機能、
再生停止が検出されると、情報の再生を停止する再生停止機能、
前記再生停止が検出された場合、該再生停止がユーザ操作による指示であるか否かを判別する指示判別機能、
前記判別結果に基づいて、前記情報に対する再生状況情報の更新を制御する更新制御機能を実現させることを特徴とする情報再生制御プログラム。
【発明の詳細な説明】
【技術分野】
【０００１】
本発明は、情報再生装置、情報再生制御方法および情報再生制御プログラムに関する。
【背景技術】
【０００２】
従来より、保存した曲の再生回数に基づいてお気に入り度を判別できるようにした技術が提案されている（例えば、特許文献１参照）。該従来技術では、曲再生が終了した場合に再生回数を更新するものの、再生途中で停止（中止）した場合には再生回数を更新しないようになっている。
【０００３】
【特許文献１】特開２００３−３１７４５１号公報
【発明の開示】
【発明が解決しようとする課題】
【０００４】
しかしながら、上記従来技術は、再生途中での停止（中止）がユーザによる意志、つまり、聞きたくなくなったなどの意志であれば、更新しないことは妥当であるが、その再生装置が携帯電話等の場合には、再生途中での電話着信があったことにより、再生停止（中止）を余儀なくされたり、あるいは携帯ゆえの電池切れにより再生停止を余儀なくされる場合がある。従来技術では、その再生停止が余儀なく停止したものか否かに拘らず、再生自体がなかったものとして再生回数を更新しないため、その曲に対するお気に入り度が正確に反映することができないという問題があった。
【０００５】
そこで本発明は、ユーザの意志を正確に反映して情報の再生状況を正確に更新することができ、かつその情報毎のお気に入り度合を容易に把握することができる情報再生装置、情報再生制御方法および情報再生制御プログラムを提供することを目的とする。
【課題を解決するための手段】
【０００６】
上記目的達成のため、請求項１、１１、１２記載の発明は、情報の再生途中における再生停止を検出し、再生停止が検出されると、情報の再生を停止するとともに、該再生停止がユーザ操作による指示であるか否かを判別し、該判別結果に基づいて、上記情報に対する再生状況情報の更新を制御することを特徴とする。
【０００７】
また、好ましい態様として、例えば請求項２記載のように、請求項１記載の情報再生装置において、前記更新制御手段は、前記指示判別手段により、前記再生停止がユーザ操作による指示ではないと判別された場合には、前記再生状況情報の更新を実行する一方、前記再生停止がユーザ操作による指示であると判別された場合には、前記再生状況情報の更新を中止するようにしてもよい。
【０００８】
また、好ましい態様として、例えば請求項３記載のように、請求項２記載の情報再生装置において、前記指示判別手段によって前記再生停止がユーザ操作による指示であると判別された場合、その情報の再生割合を判別する再生割合判別手段を具備し、前記更新制御手段は、前記再生割合判別手段により判別された再生割合が所定値を超えていれば、前記再生状況情報の更新を実行する一方、再生割合が所定値を超えていなければ、前記再生状況情報の更新を中止するようにしてもよい。
【０００９】
また、好ましい態様として、例えば請求項４記載のように、請求項１記載の情報再生装置において、電話あるいはメールによる着信を検出する着信検出手段を具備し、前記指示判別手段は、前記着信検出手段によって着信が検出された際に、前記再生停止検出手段によって再生停止が検出された場合、該再生停止がユーザ操作による指示でないと判別するようにしてもよい。
【００１０】
また、好ましい態様として、例えば請求項５記載のように、請求項１記載の情報再生装置において、前記再生停止手段は、前記着信手段による着信があった場合、着信による呼出し直後に前記再生手段による情報の再生出力を停止するか、あるいは着信による呼出し後のユーザによるオフフック操作があった際に前記再生手段による情報の再生出力を停止するようにしてもよい。
【００１１】
また、好ましい態様として、例えば請求項６記載のように、請求項１記載の情報再生装置において、当該装置の各部を駆動する電池の残量を検出する電池残量検出手段を具備し、前記指示判別手段は、前記電池残量検出手段によって電池残量が所定値以下であると検出された際に、前記再生停止検出手段によって再生停止が検出された場合、該再生停止がユーザ操作による指示でないと判別するようにしてもよい。
【００１２】
また、好ましい態様として、例えば請求項７記載のように、請求項１記載の情報再生装置において、前記再生状況情報記憶手段は、前記複数の情報に対する再生状況情報として、前記複数の情報の各々の再生回数を記憶し、前記更新制御手段は、前記情報の再生終了時に正規終了として前記再生回数を所定値だけカウントアップするようにしてもよい。
【００１３】
また、好ましい態様として、例えば請求項８記載のように、請求項７記載の情報再生装置において、前記更新制御手段は、前記再生停止がユーザ操作による指示ではないと判別された場合には、前記正規終了時におけるカウントアップ値よりも小さな値だけカウントアップするようにしてもよい。
【００１４】
また、好ましい態様として、例えば請求項９記載のように、請求項１記載の情報再生装置するにおいて、前記再生状況情報記憶手段は、前記複数の情報に対する再生状況情報として、前記複数の情報の各々の再生回数を記憶し、前記更新制御手段は、前記情報の再生開始時に前記再生回数をカウントアップし、前記再生停止がユーザ操作による指示であると判別された場合には、前記再生回数をカウントダウンするようにしてもよい。
【００１５】
また、好ましい態様として、例えば請求項１０記載のように、請求項１記載の情報再生装置において、前記再生状況情報記憶手段は、前記複数の情報に対する再生状況情報として、これまでに再生した累積再生時間を記憶し、前記更新制御手段は、前記情報の再生終了時に正規終了として現時点までに再生した再生時間を前記累積再生時間に加算するようにしてもよい。
【発明の効果】
【００１６】
請求項１、１１、１２記載の発明によれば、情報の再生途中における再生停止を検出し、再生停止が検出されると、情報の再生を停止するとともに、該再生停止がユーザ操作による指示であるか否かを判別し、該判別結果に基づいて、上記情報に対する再生状況情報の更新を制御するようにしたので、ユーザの意志を正確に反映して情報の再生状況を正確に更新することができ、かつその情報毎のお気に入り度合を容易に把握することができるという利点が得られる。
【００１７】
また、請求項２記載の発明によれば、指示判別手段により再生停止がユーザ操作による指示ではないと判別された場合には、更新制御手段により、再生状況情報の更新を実行する一方、再生停止がユーザ操作による指示であると判別された場合には、更新制御手段により、再生状況情報の更新を中止するようにしたので、ユーザの意志を正確に反映して情報の再生状況を正確に更新することができ、かつその情報毎のお気に入り度合を容易に把握することができるという利点が得られる。
【００１８】
また、請求項３記載の発明によれば、指示判別手段によって再生停止がユーザ操作による指示であると判別された場合、再生割合判別手段により、その情報の再生割合を判別し、更新制御手段により、再生割合が所定値を超えていれば、再生状況情報の更新を実行する一方、再生割合が所定値を超えていなければ、再生状況情報の更新を中止するようにしたので、再生途中で停止した場合であっても、ユーザの意志を正確に反映して情報の再生状況を正確に更新することができ、かつその情報毎のお気に入り度合を容易に把握することができるという利点が得られる。
【００１９】
また、請求項４記載の発明によれば、着信検出手段によって電話あるいはメールによる着信が検出された際に、再生停止検出手段によって再生停止が検出された場合、指示判別手段により、該再生停止がユーザ操作による指示でないと判別するようにしたので、電話やメールによる着信があった際に再生が停止された場合であっても、ユーザの意志を正確に反映して情報の再生状況を正確に更新することができ、かつその情報毎のお気に入り度合を容易に把握することができるという利点が得られる。
【００２０】
また、請求項５記載の発明によれば、着信手段による着信があった場合、再生停止手段により、着信による呼出し直後に再生手段による情報の再生出力を停止するか、あるいは着信による呼出し後のユーザによるオフフック操作があった際に再生手段による情報の再生出力を停止するようにしたので、電話やメールによる着信があった際に再生が停止された場合であっても、ユーザの意志を正確に反映して情報の再生状況を正確に更新することができ、かつその情報毎のお気に入り度合を容易に把握することができるという利点が得られる。
【００２１】
また、請求項６記載の発明によれば、電池残量検出手段によって電池残量が所定値以下であると検出された際に、再生停止検出手段によって再生停止が検出された場合、指示判別手段により、該再生停止がユーザ操作による指示でないと判別するようにしたので、電池残量が低下して強制的に再生が停止された場合であっても、ユーザの意志を正確に反映して情報の再生状況を正確に更新することができ、かつその情報毎のお気に入り度合を容易に把握することができるという利点が得られる。
【００２２】
また、請求項７記載の発明によれば、複数の情報に対する再生状況情報として、複数の情報の各々の再生回数を再生状況情報記憶手段に記憶し、更新制御手段により、情報の再生終了時に正規終了として上記再生回数を所定値だけカウントアップするようにしたので、ユーザの意志を正確に反映して情報の再生状況を正確に更新することができ、かつその情報毎のお気に入り度合を容易に把握することができるという利点が得られる。
【００２３】
また、請求項８記載の発明によれば、再生停止がユーザ操作による指示ではないと判別された場合、更新制御手段により、正規終了時におけるカウントアップ値よりも小さな値だけカウントアップするようにしたので、装置側の事情により再生が停止されたとしても、ユーザの意志を正確に反映して情報の再生状況を正確に更新することができ、かつその情報毎のお気に入り度合を容易に把握することができるという利点が得られる。
【００２４】
また、請求項９記載の発明によれば、複数の情報に対する再生状況情報として、複数の情報の各々の再生回数を再生状況情報記憶手段に記憶し、更新制御手段により、情報の再生開始時に上記再生回数をカウントアップし、再生停止がユーザ操作による指示であると判別された場合には、再生回数をカウントダウンするようにしたので、ユーザの意志を正確に反映して情報の再生状況を正確に更新することができ、かつその情報毎のお気に入り度合を容易に把握することができるという利点が得られる。
【００２５】
また、請求項１０記載の発明によれば、複数の情報に対する再生状況情報として、これまでに再生した累積再生時間を再生状況情報記憶手段に記憶し、更新制御手段により、情報の再生終了時に正規終了として現時点までに再生した再生時間を累積再生時間に加算するようにしたので、ユーザの意志を正確に反映して情報の再生状況を正確に更新することができ、かつその情報毎のお気に入り度合を容易に把握することができるという利点が得られる。
【発明を実施するための最良の形態】
【００２６】
以下、本発明の実施の形態を、図面を参照して説明する。
【００２７】
Ａ．実施形態の構成
図１は、本発明の実施形態による携帯電話の略構成を示すブロック図である。図において、ＣＰＵ１−１は、携帯電話１の動作を所定のプログラムに従って制御する。特に、本実施形態では、ＣＰＵ１−１は、ユーザによる対象ファイルの再生開始指示、一時停止指示、停止指示に従って、後述する楽音再生部１−７による再生動作を制御するとともに、無線通信部１−２での着信割込みチェック、電源（バッテリ）１−１１の残量のチェックなどを行う。
【００２８】
また、ＣＰＵ１−１は、ユーザにより任意に選択された音楽データの再生に際して、その選択情報に対する再生状況（再生回数、累積再生時間）を更新するが、その再生途中において再生停止した際には、その再生停止がユーザ操作により行われたのか、あるいは、無線通信部１−２での着信時や、電源（バッテリ）１−１１の残量が所定値以下となるなどの理由によって停止されたのかを判別し、該判別結果に基づいてその情報の再生状況（再生回数、累積再生時間）の更新を制御する。より具体的には、着信時や電池残量が所定値以下となるなど、携帯電話１側の機能上の理由によって停止した場合にはその情報の再生状況を更新し、ユーザ操作により情報の再生が停止された場合には、基本的には再生状況を更新せず、所定以上の再生がなされた場合にのみ、再生状況を更新するようになっている。
【００２９】
上記情報の再生状況は、図２に示す情報再生状況テーブル２に記憶されている。該情報再生状況テーブル２には、音楽データのファイル名毎に、その再生回数、累積再生時間が記録されており、該再生回数、累積再生時間に基づいてお気に入り度が判別される。すなわち、本実施形態では、再生途中での電話またはメールの着信があったことにより、再生停止（中止）を余儀なくされたり、あるいは携帯ゆえの電池切れにより再生停止を余儀なくされた場合であっても、その情報に対するお気に入り度を正確に反映することができるようになっている。
【００３０】
無線通信部１−２は、図示しない無線基地局を介して、通話、データ通信などを行う。ＲＯＭ１−３は、上記所定のプログラムや各種パラメータなどを記憶する。メモリ１−４は、各種データ、特に本実施形態では、音楽データなどの情報を記憶する。該音楽データなどの情報は、図示しない無線基地局を介して、所定のサービスサーバよりダウンロードされたものであってもよいし、パーソナルコンピュータなどからメモリ１−４に転送されたものであってもよい。また、上記音楽データなどの情報は、メモリ１−４以外に外部記録媒体１−１０に記憶されていてもよい。
【００３１】
表示部１−５は、液晶表示器などからなり、アドレス帳や電話番号などの情報や各種設定画面などを表示する。入力部１−６は、電話番号や各種データ、動作指示、特に、音楽データなどの情報に対する再生指示、一時停止指示、停止指示などを入力する。楽音再生部１−７は、ＣＰＵ１−１の制御の下、メモリ１−４に記憶されている音楽データをデコードしてスピーカ１−８から再生出力する。外部Ｉ／Ｆ１−９は、外部記録媒体（例えばｍｉｎｉＳＤカードなど）１−１０を装着する。また、電源（バッテリ）１−１１は、充電可能な二次電池からなり、各部へ駆動電流を供給する。
【００３２】
なお、上述した構成では、再生の対象ファイルとして音楽データのみについて説明したが、これに限らず、動画データなども可能である。
【００３３】
Ｂ．実施形態の動作
次に、上述した実施形態の動作について説明する。ここで、図３および図４は、本実施形態による携帯電話１の動作を説明するためのフローチャートである。まず、対象ファイル（音楽、動画など）に対しての再生開始指示があったか否かを判断する（ステップＳ１０）。そして、再生開始指示があると、再生開始指示のあった対象ファイル（音楽、動画など）の再生を開始する（ステップＳ１２）。該再生中に、停止指示があったか否かを判断し（ステップＳ１４）、停止指示があった場合には、再生を停止する（ステップＳ１６）。
【００３４】
次に、対象ファイルの全再生時間を取得し（ステップＳ１８）、該全再生時間に対する、今回の再生時間の再生割合を算出する（ステップＳ２０）。そして、該再生割合が全体の８割以上であるかを判断し（ステップＳ２２）、今回、８割以上再生した場合には、情報再生状況テーブル２に対して、対象ファイルの再生回数として０．５だけカウントアップし（ステップＳ２４）、累積再生時間を更新する（ステップＳ２６）。一方、今回の再生時間の割合が全体の８割に満たなかった場合には、再生回数、累積再生時間を更新することなく、当該処理を終了する。
【００３５】
また、対象ファイルの再生中に停止指示がなかった場合には、一時停止の指示があったか否かを判断する（ステップＳ２８）。そして、一時停止の指示があった場合には、対象ファイルの再生を一時停止する（ステップＳ３０）。次に、再び、再生指示があったか否かを判断し（ステップＳ３２）、再生指示があるまで待機し、再生指示があると、ステップＳ１４に戻り、上述した処理を繰り返す。したがって、この場合、再生回数、累積再生時間は更新されない。
【００３６】
一方、対象ファイルの再生中に停止指示、一時停止指示がない場合には、電話やメールによる着信割込みがあったか否かを判断する（ステップＳ３４）。そして、着信割込みがあった場合には、対象ファイルの再生に対して一時停止指示があったか否かを判断する（ステップＳ３６）。ここで、一時停止指示がなかった場合には、停止指示があったか否かを判断し（ステップＳ３８）、停止指示があった場合には、対象ファイルの再生を停止し（ステップＳ４４）、再生回数を１つだけカウントアップし（ステップＳ４６）、該対象ファイルの全再生時間を、情報再生状況テーブル２の累積再生時間に加算することで累積再生時間を更新する（ステップＳ５０）。そして、当該処理を終了する。
【００３７】
一方、対象ファイルの再生中に電話やメールによる着信割込みがあった際に、一時停止指示があった場合には、対象ファイルの再生を一時停止し（ステップＳ３０）、再生指示があるまで待機し（ステップＳ３２）、再生指示があると、ステップＳ１４に戻り、対象ファイルの再生を継続する。したがって、この場合、再生回数、累積再生時間は更新されない。
【００３８】
また、対象ファイルの再生中に着信割込みがあった際に、一時停止指示も停止指示もなかった場合には、着信に対する呼出しが終わったか否かを判断し（ステップＳ４０）、呼出しが終わっていない場合には、ステップＳ３６に戻り、現在再生中の対象ファイルに対する、一時停止指示、または停止指示を待つ。一時停止指示があった場合には、上述したステップＳ３０以降へ進み、停止指示が合った場合には、上述したステップＳ４４以降へ進む。
【００３９】
一方、対象ファイルの再生中に電話やメールによる着信割込みがあった際に、一時停止指示も停止指示もなく、着信に対する呼出しが終わってしまった場合には、上述したステップＳ１４に戻り、対象ファイルの再生を継続する。
【００４０】
また、対象ファイルの再生中に停止指示、一時停止指示もなく、さらに着信割込みもない場合には、電源（バッテリ）１−１１の電池残量が所定値より小さくなっているか否かを判断する（ステップＳ４２）。そして、電源（バッテリ）１−１１の電池残量が所定値より小さくなっている場合には、対象ファイルの再生を停止し（ステップＳ４４）、対象ファイルに対応する、情報再生状況テーブル２の再生回数を１つだけカウントアップし（ステップＳ４６）、該対象ファイルの全再生時間を、情報再生状況テーブル２の累積再生時間に加算することで該累積再生時間を更新する（ステップＳ５０）。そして、当該処理を終了する。
【００４１】
一方、電源（バッテリ）１−１１の電池残量が所定値より小さくなっていない場合には、対象ファイルの再生が終了したか否かを判断し（ステップＳ４８）、再生が終了していなければ、ステップＳ１４に戻り、対象ファイルの再生を継続する。
【００４２】
また、対象ファイルの再生中に停止指示、一時停止指示もなく、さらに着信割込みもなく、電源（バッテリ）１−１１の電池残量も所定値より小さくなっていない場合に、再生が終了していなければ、該対象ファイルの全再生時間を、情報再生状況テーブル２の累積再生時間に加算することで該累積再生時間を更新し（ステップＳ５０）、当該処理を終了する。
【００４３】
上述した実施形態では、ユーザにより任意に選択された情報の再生が行われた際、その選択情報に対する再生状況として更新を行うが、その再生途中において再生停止した際には、その再生停止がユーザ操作により行われたのか、あるいは、電話やメールによる着信時や電池残量が所定値以下となるなどの理由によって停止されたのかを判別し、該判別結果に基づいてその再生状況の更新を制御するようにしたので、ユーザの意志を正確に反映して情報の再生状況を更新することができ、かつその情報毎のお気に入り度合を容易に把握することができる。
【００４４】
なお、上述した実施形態では、再生終了時に再生回数をカウントアップするようにしたが、再生開始時に再生回数をカウントアップし、再生停止がユーザ操作による指示であると判別された場合には、再生回数をカウントダウンするようにしてもよい。また、上述した実施形態においては、携帯電話についてのみ説明したが、これに限らず、音楽データや動画データなどを再生可能な機器であれば適用可能であることは言うまでもない。
【図面の簡単な説明】
【００４５】
【図１】本発明の実施形態による携帯電話の略構成を示すブロック図である。
【図２】本実施形態による携帯電話のメモリに記憶されている情報再生状況テーブルのデータ構成を示す概念図である。
【図３】本実施形態による携帯電話１の動作を説明するためのフローチャートである。
【図４】本実施形態による携帯電話１の動作を説明するためのフローチャートである。
【符号の説明】
【００４６】
１  携帯電話
１−１  ＣＰＵ（再生停止検出手段、再生停止手段、指示判別手段、更新制御手段、再生割合判別手段、着信検出手段、電池残量検出手段）
１−２  無線通信部
１−３  ＲＯＭ
１−４  メモリ（情報記憶手段、再生状況情報記憶手段）
１−５  表示部
１−６  入力部
１−７  楽音再生部（再生手段）
１−８  スピーカ
１−９  外部Ｉ／Ｆ
１−１０  外部記録媒体（情報記憶手段、再生状況情報記憶手段）
１−１１  電源
【図１】
2007180770.tif 000003
【図２】
2007180770.tif 000004
【図３】
2007180770.tif 000005
【図４】
2007180770.tif 000006